(57)【要約】【課題】床材の施工に必要とされる材料等を集約して、作業効率を向上した浴室用床材の施工キットを提供する。【解決手段】  浴室用床材の施工キットは、浴室の床面に貼り付けられるシート状の床材２と、浴室の床面を補修する補修剤３と、シート状の床材２を浴室の床面に接着する接着剤４と、浴室の床面と床材２との間をシールするシール剤５とが収納される収納箱１１，１２を備える。【選択図】図１
2012072586.tif 000002
【特許請求の範囲】
【請求項１】
浴室の床面に貼り付けられるシート状の床材と、浴室の床面を補修する補修剤と、シート状の床材を浴室の床面に接着する接着剤と、浴室の床面と床材との間をシールするシール剤とが収納される収納箱を備えることを特徴とする浴室用床材の施工キット。
【請求項２】
前記補修剤と、接着剤と、シール剤を保持する保持体が収納箱に収納されてなる請求項１に記載の浴室用床材の施工キット。
【請求項３】
前記床材を浴室の床面に施工するための道具が収納箱に収納されてなる請求項１または２に記載の浴室用床材の施工キット。
【請求項４】
前記収納箱には、床材の施工要領が記載された施工説明書が付属される請求項１から３のいずれか１項に記載の浴室用床材の施工キット。
【請求項５】
前記保持体は、補修剤、接着剤及びシール剤を収納可能な箱形状に構成されてなる請求項２から４のいずれか１項に記載の浴室用床材の施工キット。
【請求項６】
前記保持体は、補修剤と、接着剤と、シール剤を固定する固定部を有する請求項２から５のいずれか１項に記載の浴室用床材の施工キット。
【請求項７】
前記補修剤と、接着剤と、シール剤とには、これらを識別される識別情報が付されている請求項１から６のいずれか１項に記載の浴室用床材の施工キット。
【請求項８】
前記識別情報は、補修剤と、接着剤と、シール剤とに個別に付された色情報である請求項７に記載の浴室用床材の施工キット。
【請求項９】
前記保持体は、床材の施工要領が表示される表示部を有する請求項２から８のいずれか１項に記載の浴室用床材の施工キット。
【請求項１０】
表示部は、補修剤、接着剤、及びシール剤が使用される施工要領の各工程を、保持体に保持されている補修剤、接着剤、及びシール剤の保持位置に対応して表示可能に構成されてなる請求項９項に記載の浴室用床材の施工キット。
【請求項１１】
前記保持体は、補修剤、接着剤、シール剤を保持する本体部と、本体部に対して開閉自在に設けられる蓋部とを有し、前記表示部が蓋部に設けられてなる請求項９または１０に記載の浴室用床材の施工キット。
【請求項１２】
前記保持体は、前記表示部が所定の表示位置にて表示されるように蓋部を所定の姿勢で掛止する掛止手段を有する請求項１１に記載の浴室用床材の施工キット。
【請求項１３】
前記固定部は、補修剤、接着剤、及びシール剤を挿通可能な開口部と、補修剤、接着剤、及びシール剤の下部を支持する支持部とを有し、支持部は、その支持位置を変更可能に構成されてなる請求項６に記載の浴室用床材の施工キット。
【請求項１４】
前記保持体は、蓋部が本体部に対して閉じた状態で、この蓋部を掛止する掛止手段を有する請求項１１又は１２に記載の浴室用床材の施工キット。
【請求項１５】
前記保持体は、その底部の上方位置に前記固定部を備え、固定部の支持部を所定の位置に配置すべく、保持体の底部と固定部の支持部との間にスペーサが設けられてなる請求項６に記載の浴室用床材の施工キット。
【請求項１６】
前記固定部、本体部、蓋部は１枚の台紙に形成されてなる請求項１１に記載の浴室用床材の施工キット。
【発明の詳細な説明】
【技術分野】
【０００１】
本発明は、例えば、浴室の床面にシート状の床材を施工するための施工キットに関する。
【背景技術】
【０００２】
近年、例えば、マンションやホテル等の建物において、その施工の容易性の点から、浴室にユニットバスが用いられる場合が多くなってきている。ユニットバスとは、一般に、浴室を構成するための床パネル、壁パネル、天井パネル、浴槽、洗面器等や、これらに付随する換気設備、電気設備等を適宜組み合わせ、予め一体に組み込んで構成されたものをいう（例えば特許文献１参照）。
【０００３】
例えば、マンション等の建物において、経年劣化によってリフォームが必要となった場合、そのリフォームの手法として、浴室の床パネルを交換することなく、この床パネルの床面に新たに床部材を敷設するということも行われるようになっている。
【０００４】
この場合、シート状の床材を床面に敷くには、経年劣化によって生じた床面の凹凸等を補修し、床材を床面に応じて所定形状に裁断し、この床材を床面に接着した後に、床材と床面との間をシールする、といった作業が必要になる。
【先行技術文献】
【特許文献】
【０００５】
【特許文献１】特開２００１−３２５４６号公報
【発明の概要】
【発明が解決しようとする課題】
【０００６】
従来、このような床材の施工を行う場合には、それぞれの作業に必要な材料（例えば、床材、補修剤や接着剤、シール剤等）や道具があり、その施工業者は、床材の施工にあたり、前もって、これらを集めて準備する必要があった。
【０００７】
この場合、床材の施工には多数の工程があることから、各作業に必要な材料や道具が多種類に及び、事前にこれらを集める準備作業に時間がかかって煩わしいものであった。また、浴室における作業においては、多種類の材料や道具を並べるスペースが充分でなく、作業に手間取る場合が多くみられた。
【０００８】
本発明は上記のような事情に鑑みてなされたものであり、床材の施工に必要とされる材料等を集約して、施工作業効率を向上することを目的とした浴室用床材の施工キットを提供することを課題とする。
【課題を解決するための手段】
【０００９】
本発明に係る浴室床材の施工キットは、上記の課題を解決するためのものであって、浴室の床面に貼り付けられるシート状の床材と、浴室の床面を補修する補修剤と、シート状の床材を浴室の床面に接着する接着剤と、浴室の床面と床材との間をシールするシール剤とが収納される収納箱を備えることを特徴とする。
【００１０】
かかる構成によれば、浴室用床材の施工キットは、シート状の床材と、補修剤と、接着剤と、シール剤とを収納箱に収納することによって、床材の施工に必要な材料のほぼ全てを集約することができ、これらを別々に集めるということがなく、準備に時間をかける必要がなくなる。これによって、床材の施工作業の効率を向上することができるようになる。
【００１１】
また、本発明に係る浴室用床材の施工キットは、前記補修剤と、接着剤と、シール剤を保持する保持体が収納箱に収納されてなる構成を採用できる。
【００１２】
かかる構成によれば、保持体が補修剤等を保持することにより、収納箱に収納される補修剤等の位置が変わることなく、これらとシート部材が接触して損傷するということも防止できる。
【００１３】
また、本発明に係る浴室床材の施工キットは、前記床材を浴室の床面に施工するための道具が収納箱に収納されてなる構成を採用できる。
【００１４】
かかる構成によれば、施工に必要とされる道具が収納箱に収納されることで、床材の施工に必要とされる物品をより多く集約することで、施工の準備にかかる時間をさらに短縮することができるようになる。
【００１５】
また、本発明に係る浴室床材の施工キットは、前記収納箱に、床材の施工要領が記載された施工説明書が付属されることが望ましい。
【００１６】
かかる構成によれば、施工説明書を収納箱に収納することにより、施工の作業手順を作業者に明確に伝達して効率の良い作業を行うことができるようになる。
【００１７】
また、本発明に係る浴室床材の施工キットは、前記保持体が、補修剤、接着剤及びシール剤を収納可能な箱形状に構成されてなる構成を採用できる。
【００１８】
かかる構成によれば、保持体を箱形状に構成することで、補修剤等の各種材料を保護することができるようになる。
【００１９】
また、本発明に係る浴室床材の施工キットは、前記保持体が、補修剤と、接着剤と、シール剤を固定する固定部を有する構成を採用できる。
【００２０】
かかる構成によれば、保持体が補修剤等を固定することで、収納箱内に収納されたこれらの材料は、収納箱を移動させた場合であってもその位置が変わることがなくなる。これにより、これらの材料を、収納箱内に整然と収納することができるようになる。
【００２１】
また、本発明に係る浴室床材の施工キットは、前記補修剤と、接着剤と、シール剤とに、これらを識別される識別情報が付されていることが望ましい。
【００２２】
かかる構成によれば、補修剤、接着剤、シール剤を識別することが可能な識別情報を付けることにより、施工作業の際に、作業者は、補修剤等の容器内を確認することなく、各作業工程において、間違うことなくこれらの材料を選択できるようになる。
【００２３】
また、本発明に係る浴室床材の施工キットは、前記識別情報が、補修剤と、接着剤と、シール剤とに個別に付された色情報であることが望ましい。
【００２４】
かかる構成によれば、識別情報が色情報であることで、作業者は、補修剤と、接着剤と、シール剤との別を色の違いによって直感的に判断できるようになる。
【００２５】
また、本発明に係る浴室床材の施工キットは、前記保持体が、床材の施工要領が表示される表示部を有する構成を採用できる。
【００２６】
かかる構成によれば、保持体によって施工要領を表示させることによって、作業者は、この表示部の施工要領を見ながら容易に床材の施工を行うことができる。
【００２７】
また、本発明に係る浴室床材の施工キットは、表示部が、補修剤、接着剤、及びシール剤が使用される施工要領の各工程を、保持体に保持されている補修剤、接着剤、及びシール剤の保持位置に対応して表示可能に構成されてなる構成を採用できる。
【００２８】
かかる構成によれば、補修剤、接着剤、及びシール剤の保持位置に対応して、これらが使用される工程を表示することで、施工を行う作業者にとって、シール剤と表示部に表示されるシール処理の工程とを関連づけて理解することができ、これによって、効率の良い作業を行うことができる。
【００２９】
また、本発明に係る浴室床材の施工キットは、前記保持体が、補修剤、接着剤、及びシール剤を保持する本体部と、本体部に対して開閉自在に設けられる蓋部とを有し、前記表示部が蓋部に設けられてなる構成を採用できる。
【００３０】
かかる構成によれば、表示部が蓋部に設けられることによって、作業者は、この表示部に表示される施工要領を見ながら、本体部に保持される補修剤等を使用して容易に施工作業を行うことができる。
【００３１】
また、本発明に係る浴室床材の施工キットは、前記保持体が、前記表示部が所定の表示位置にて表示されるように蓋部を所定の姿勢で掛止する掛止手段を有する構成を採用できる。
【００３２】
かかる構成によれば、作業者にとって最も表示部が見えやすい位置で、蓋部を掛止することができるようになる。これによって、作業者は、表示部を見ながら本体部に保持される補修剤等を使用して容易に施工作業を行うことができる。
【００３３】
また、本発明に係る浴室床材の施工キットは、前記固定部が、補修剤、接着剤、及びシール剤を挿通可能な開口部と、補修剤、接着剤、及びシール剤の下部を支持する支持部とを有し、支持部が、その支持位置を変更可能に構成されてなる構成を採用できる。
【００３４】
かかる構成によれば、支持部の位置を変更可能にすることで、例えば補修剤等を収容する容器の大きさ（高さ）が異なる場合であっても、これらの容器を適切に固定することができるようになる。また、複数の固定部を並設した場合には、各固定部に固定されて隣り合う容器の高さを揃えて固定することもでき、保持部は、見た目にも綺麗にこれらの材料を保持することができるようになる。
【００３５】
また、本発明に係る浴室床材の施工キットは、前記保持体が、蓋部が本体部に対して閉じた状態で、この蓋部を掛止する掛止手段を有する構成を採用できる。
【００３６】
かかる構成によれば、掛止手段によって蓋部が閉じた状態を維持できるようになる。
【００３７】
また、本発明に係る浴室床材の施工キットは、前記保持体が、その底部の上方位置に前記固定部を備え、固定部の支持部を所定の位置に配置すべく、保持体の底部と固定部の支持部との間にスペーサが設けられてなる構成を採用できる。
【００３８】
かかる構成によれば、保持体の固定部に設けられる支持部を所望の位置に配置できるようになる。
【００３９】
また、本発明に係る浴室床材の施工キットは、前記固定部、本体部、及び蓋部が１枚の台紙に形成されてなる構成を採用できる。
【００４０】
かかる構成によれば、固定部、本体部、蓋部を別体とすることなく、１枚の台紙に形成することによって、これらを連結・接続する手間を省略して保持体を容易に構成することができる。
【発明の効果】
【００４１】
本発明によれば、床材の施工に必要とされる材料等を集約して、施工作業効率を向上することができる。
【図面の簡単な説明】
【００４２】
【図１】梱包直前の床材施工キットの平面図である。
【図２】第１蓋部が開き、第２蓋部が閉じた第１の掛止姿勢における、第１収納箱の側面図である。
【図３】図２におけるＡ−Ａ矢視線断面図である。
【図４】図２におけるＢ−Ｂ矢視線断面図である。
【図５】図２におけるＣ−Ｃ矢視線断面図である。
【図６】図２におけるＤ−Ｄ矢視線断面図である。
【図７】第１蓋部が第２の掛止姿勢で掛止され、第２蓋部が開いた状態における第１収納箱の斜視図である。
【図８】第１収納箱を形成するための台紙を示す展開図である。
【図９】第２収納箱を形成するための台紙を示す展開図である。
【図１０】表示部の一部を示す正面図である。
【図１１】表示部の一部を示す正面図である。
【図１２】表示部の一部を示す正面図である。
【発明を実施するための形態】
【００４３】
以下、本発明を実施するための形態について、図面を参照しながら説明する。図１〜図１２は、本発明に係る浴室用床材の施工キット（以下、床材施工キットという）の一実施形態を示す。床材施工キット１は、施工に必要な、巻かれたシート状の床材２、床材２が施工される床面を補修する補修剤３、この床材２を床面に接着するための接着剤４、床材２と床面との間をシールするためのシール剤５、及び、床材２を施工するために必要とされる施工道具等を収納可能に構成される。尚、シート状の床材２は、必要に応じて紙管、樹脂製筒体などの芯材に巻き付けてもよいが、芯材を用いない場合は廃棄物を減らすことができて良い。
【００４４】
本実施形態において、補修剤３は、いわゆる２液混合タイプのものが採用されており、第１液と、第２液は、別個に所定の容器（例えば金属製の円筒状の容器）７ａ，７ｂに収容されている。同様に、接着剤４についても２液混合タイプのものが採用され、第１液と第２液が別個に所定の容器（例えば金属製の円筒状の容器）８ａ，８ｂに収容されている。また、シール剤５についても２液混合タイプのものが採用され、第１液と第２液が別個に所定の容器（例えば金属製の円筒状の容器）９ａ，９ｂに収容されている。なお、以下では、特に説明がない限り、「補修剤」、「接着剤」、「シール剤」の用語は、各容器７ａ〜９ｂに収容された状態を前提にして記述されるものとする。
【００４５】
補修剤３、接着剤４、シール剤５を収容する各容器７ａ〜９ｂの外面には、内部に収容される材料を識別するための識別情報が付されている。この識別情報は、文字情報や色情報、図形、記号その他の情報により構成される。
【００４６】
本実施形態では、例えば、補修剤３を収容する各容器７ａ，７ｂには、その外面（蓋や本体の外面）に、「補修剤」の文言、商品名、成分、２液を区別する文字（例えば第１液を「Ａ液」とし、第２液を「Ｂ液」とする）等の文字情報や、補修剤３を識別するための色情報（例えば赤色）、補修剤３を表現する図形、バーコード等の識別情報が付される。また、接着剤４を収容する各容器８ａ，８ｂには、「接着剤」の文言、商品名、成分、２液を区別する文字等の文字情報や、接着剤４を識別するための色情報（例えば緑色）、接着剤４を表現する図形、バーコード等の識別情報が付される。同様に、シール剤５を収容する各容器９ａ，９ｂには、「シール剤」の文言、商品名、成分、２液を区別する文字等の文字情報、シール剤５を識別するための色情報（例えば青色）、シール剤５を表現する図形、バーコード等の識別情報が付される。色情報は、適宜設定すれば良いが、特に取り扱いなどに注意を要するものを赤などの強調色にすると、作業者の注意を喚起することができるので望ましい。
【００４７】
なお、上記の識別情報は、容器７ａ〜９ｂに直接付されてもよく、また、所定形状のラベルに識別情報を印刷等によって表示し、このラベルを各容器７ａ〜９ｂに貼り付けることによって付されてもよい。
【００４８】
図１に示すように、床材施工キット１は、補修剤３、接着剤４、及びシール剤５を収納する第１収納箱（以下「第１収納箱」という）１１と、床材２及び第１収納箱１１を収納するための収納箱（以下「第２収納箱１２」という）１２とを有する。第１収納箱１１は、紙管に巻き付けられているシート状の床材２と並んだ状態で、第２収納箱１２に収納されて、シート状の床材２が第２収納箱１２内で移動しないように固定する役割も果たしている。図１は、後述する第２収納箱１２の蓋部８６（８６ａ，８６ｂ）が開いた梱包直前の状態を示している。
【００４９】
なお、上記シート状の床材２の収納状態は、シート状の床材２のみを円筒形に巻いて収納すればよいが、第３収納箱１２に収納され得る状態であれば特に限定されず、例えば、紙管や樹脂製筒体などに巻いた状態で収納してもよい。
【００５０】
図２は、第１収納箱１１を第２収納箱１２から取り出して蓋部１６を開放した状態を示している。第１収納箱１１は、補修剤３、接着剤４、シール剤５、施工道具その他の付属品（以下「施工道具等」という）を動かないように固定して保持する本体部１５と、この本体部１５に対して開閉自在な蓋部１６と、蓋部１６を所定の姿勢で掛止する掛止手段１７と、を有する。本体部１５と、蓋部１６とは、所定形状に構成される１枚の台紙（図８参照）を所定位置で折り曲げることによって構成される（台紙の構成については後述する）。
【００５１】
図３〜図６は、本体部１５の各部における断面図を示し、図３は図２におけるＡ−Ａ、同様に、図４はＢ−Ｂ、図５はＣ−Ｃ、図６はＤ−Ｄの断面に各々対応している。図３〜図６に示すように、本体部１５は、断面視略四角形を示す筒状に構成され、上面部２１と、底部２２と、上面部２１及び底部２２を連結する側壁部２３と、上面部２１と底部２２との間で本体部１５の一部長手方向に沿って設けられる中間板部２４とで構成される。
【００５２】
また、本体部１５は、施工道具その他の付属品を固定する第１固定部２６と、補修剤３を固定する第２固定部２７と、接着剤４を固定する第３固定部２８と、シール剤５を固定する第４固定部２９とを有する。第１固定部２６〜第４固定部２９は、本体部１５の上面部２１に形成されている。
【００５３】
図２、図３に示すように、第１固定部２６は、施工道具等を挟み込んで動かないように押さえる２つの押さえ部２６ａ，２６ｂを有する。２つの押さえ部２６ａ，２６ｂは、本体部１５の一部に切れ込み３０が入れられることによって形成されている。２つの押さえ部２６ａ，２６ｂは、施工道具その他の付属品を固定していない状態では、その端部が互いに対向するように水平姿勢を維持するように構成される。
【００５４】
２つの押さえ部２６ａ，２６ｂは、折り曲げ線３１を中心に回動可能に構成されている。２つの押さえ部２６ａ，２６ｂは、この折り曲げ線３１を介して回動させたとき、元の姿勢に戻るような弾性復元力を生じるように構成される。また、第１固定部２６は、この折り曲げ線３１を介して２つの押さえ部２６ａ，２６ｂを下方に回動させると、その間に開口部が形成されるようになっている。この開口部は、切れ込み３０と折り曲げ線３１とによって縁取られた部分によって、四角形状に構成される。
【００５５】
第１固定部２６は、上記のように、２つの押さえ部２６ａ，２６ｂを水平姿勢から下方に回動させて開口部を構成し、この開口部に施工道具等が入れられ、弾性復元力を生じている２つの押さえ部２６ａ，２６ｂで施工道具等が側方から押圧されることで、この施工道具等を動かないように固定することができるようになっている。
【００５６】
第１固定部２６には、床部材を切断するためのカッターその他の切断具、補修剤３、接着剤４を床面に塗布するためのハケその他の塗布具、床材２を床面に押しつけるためのローラ、２液タイプとされている補修剤３、接着剤４、シール剤５の第１液と第２液を混ぜるための混ぜ棒、シール剤５を塗布するためのコーキングガン用のケーシング３４、文房具、施工要領を説明する説明書など、床材２を浴室床面に施工するのに用いる様々な道具類の一部又は全てを固定することができる。
【００５７】
この実施形態では、例えば、図２に示すように、ハケ３２、混ぜ棒３３、コーキングガン用のケーシング３４が収納袋３５に収納され第１固定部２６に固定されている。より具体的には、この収納袋３５は、図３に示すように、第１固定部２６の開口部に挿通され、２つの押さえ部２６ａ，２６ｂの弾性復元力によって両側から挟みこまれることによって押さえつけられる。このように、収納袋３５は、本体部１５の２つの押さえ部２６ａ，２６ｂとの間に挟まれることによって第１固定部２６に固定される。
【００５８】
図２、図４、図５に示すように、第２固定部２７は、補修剤３を挿通する開口部２７ａと、開口部２７ａに挿通された補修剤３を押さえつける押さえ部２７ｂと、開口部２７ａに挿通された補修剤３の下部を支持する支持部２７ｃとを有する。
【００５９】
本実施形態では、補修剤３の第１液（の容器７ａ）と第２液（の容器７ｂ）を別々に固定すべく、第２固定部２７に２つの開口部２７ａ，２７ａが設けられている。図２に示すように、各開口部２７ａ，２７ａは、その周縁が多角形状に構成されている。尚、図２には、各開口部２７ａ，２７ａは、容器を全周面に渡って均一に固定しやすい八角形状を例示しているが、これに限らず六角形状などの他の多角形状あってもよい。
【００６０】
図２に示すように、第２固定部２７の押さえ部２７ｂは、開口部２７ａの八角形の周縁の各辺に対応して設けられており、したがって、本実施形態において、各開口部２７ａ，２７ａに対応して設けられる押さえ部２７ｂの数は８である。各押さえ部２７ｂは、板状に構成され、開口部２７ａの周縁から突出し、開口部２７ａの一部を覆うように形成されている。
【００６１】
各押さえ部２７ｂは、各開口部２７ａ，２７ａの周縁から、その先端に向かうにつれて徐々に細くなる先細り状に形成されている。開口部２７ａに補修剤３が挿通されていない場合には、各押さえ部２７ｂは、本体部１５の上面部２１の外面とほぼ面一になるように位置づけられる。
【００６２】
各押さえ部２７ｂは、各開口部２７ａ，２７ａの周縁の各辺に相当する直線を折り曲げ線３６とし、この折り曲げ線３６を介して上下に回動できるように構成される。各押さえ部２７ｂは、補修剤３が各開口部２７ａに挿通されたときに、この補修剤３（の容器７ａ，７ｂ）の側部に当接した状態で、下方に回動する。この状態では、各押さえ部２７ｂには、元の位置に戻ろうとする弾性復元力が生じる。これによって、押さえ部２７ｂは、補修剤３が動かないように、その側部を押さえつけることができる。
【００６３】
支持部２７ｃは、２つの開口部２７ａ，２７ａのそれぞれに対応して本体部１５内に設けられている。支持部２７ｃは、一方の開口部２７ａに対応して設けられる態様と、他方の開口部２７ａに対応して設けられる態様とが異なっている。以下、一方の開口部２７ａに対応する支持部２７ｃの態様を、図４を参照して説明するとともに、他方の開口部２７ａに対応する支持部２７ｃの態様を、図５を参照して説明する。
【００６４】
図４に示すように、一方の開口部２７ａに対応する支持部２７ｃは、本体部１５内に配置される中間板部２４を貫通するとともに、この開口部２７ａに向かって突出する２つの突出部７８として構成される。この突出部７８は、図８に示すように、本体部１５の底部２２に設けられた切れ込み７６の部分を折り曲げることによって形成される。支持部２７ｃは、突出部７８が折り曲げられた状態で、その一部が中間板部２４に設けられた挿通孔３８を貫通して底部２２から上方に突出させられることによって形成される。
【００６５】
中間板部２４には、この突出部７８が挿通される２つの挿通孔３８，３８が形成されている。支持部２７ｃとしての各突出部７８は、各挿通孔３８，３８に挿通されることで、底部２２から突出され、互いに所定間隔離れた状態を維持するように、中間板部２４に支持されている。
【００６６】
この開口部２７ａに挿通された補修剤３の容器７ａは、その底部が２つの支持部２７ｃ，２７ｃに当接することで支持される。
【００６７】
図５に示すように、他方の開口部２７ａに対応する支持部２７ｃは、図４に示すような突出部７８を有していない。この開口部２７ａに対応する支持部２７ｃは、中間板部２４の一部によって構成される。すなわち、中間板部２４の上面は、この開口部２７ａに補修剤３の容器７ｂが挿通されたときに、この容器７ｂの底部が中間板部２４の上面に接触して載せられる。すなわち、中間板部２４は、その上面の一部によって、この補修剤３の容器７ｂを支持するのである。
【００６８】
図４に示す支持部２７ｃと、図５に示す支持部２７ｃとを比較すると、補修剤３の容器を支持する位置（高さ）が異なる。補修剤３の容器を支持する支持部２７ｃは、異なる位置で補修剤３の容器７ａ，７ｂを支持することができる。従って、このような構成とすることで、保持する対象となる容器７ａ，７ｂの大きさが異なる場合でも、容器７ａ，７ｂの底面を保持することが可能となる。また、図４に示す支持部２７ｃは、その形状を変更することで突出長さを変更し、底部２２の近傍位置に留めておくことも可能である。すなわち、補修剤３を支持する支持部２７ｃは、容器のサイズに合わせてその支持位置を変更可能に構成されている。
【００６９】
図２に示すように、第３固定部２８は、接着剤４を挿通する開口部２８ａと、開口部２８ａに挿通された接着剤４を押さえつける押さえ部２８ｂと、開口部２８ａに挿通された接着剤４の下部を支持する支持部（図示せず）とを有する。
【００７０】
第３固定部２８の態様は、第２固定部２７の態様とほぼ同じである。すなわち、開口部２８ａは、第２固定部２７と同様に、その周縁が多角形状（図例では八角形状）に構成される。また、押さえ部２８ｂは、開口部２８ａの周縁の各辺に対応して、先細り状に構成される。この第３固定部２８は、支持部の構成が第２固定部２７のものと若干異なる。
【００７１】
上述した第２固定部２７では、２つの開口部２７ａ，２７ａのうち、一方の開口部２７ａに対応する支持部２７ｃと、他方の開口部２７ａに対応する支持部２７ｃの構成が異なっていたが、この第３固定部２８では、両者が同じ構成になっている。
【００７２】
第３固定部２８における２つの開口部２８ａ，２８ａに対応する支持部は、第２固定部２７における図５の支持部と同じ構成である。すなわち、各開口部２８ａ，２８ａに対応する各支持部は、本体部１５内に設けられる中間板部２４の一部によって構成される。
【００７３】
より具体的には、この中間板部２４は、本体の長手方向に沿って、長尺状に設けられている。すなわち、中間板部２４は、第２固定部２７の支持部２７ｃから、後述する第４固定部２９に対応する下方位置にまで達している。したがって、第３固定部２８における２つの開口部２８ａ，２８ａの下方には、この中間板部２４が位置しており、各開口部２８ａ，２８ａから挿通された接着剤４の第１液（の容器８ａ）及び第２液（の容器８ｂ）の下部（底部）は、中間板部２４の上面の一部によって構成される支持部に当接し、これに支持されることとなる。
【００７４】
図２及び図６に示すように、第４固定部２９は、第２固定部２７と同様に、シール剤５を挿通する２つの開口部２９ａ，２９ａと、各開口部２９ａ，２９ａに挿通されたシール剤５を押さえつける押さえ部２９ｂと、各開口部２９ａ，２９ａに挿通されたシール剤５の下部を支持する支持部２９ｃとを有する。この第４固定部２９は、各開口部２９ａ、押さえ部２９ｂ、各支持部２９ｃの構成は、第２固定部２７の場合と同じである。
【００７５】
この第４固定部２９において、２つの開口部２９ａ，２９ａのうち、一方の開口部２９ａに対応する支持部２９ｃは、図６に示すように、２つの突出部７８を有する。これらの突出部７８の構成は、図４において説明した２つの突出部７８と同じである。また、他方の開口部２９ａに対応する支持部２９ｃは、図５において説明した第２固定部２７における支持部２７ｃの構成と同じであるので、図示及び説明を割愛する。
【００７６】
図２に示すように、蓋部１６は、本体部１５の上面部２１及び側壁部２３を覆う第１蓋部１６ａと、本体部１５の長手方向の端部を覆う第２蓋部１６ｂとを有する。
【００７７】
第１蓋部１６ａは、本体部１５の一方の側壁部２３ａを覆う第１被覆部４１と、本体部１５の上面部２１を覆う第２被覆部４２と、本体部１５の他方の側壁部２３ｂを覆う第３被覆部４３とを有する。第１被覆部４１と第２被覆部４２との間には、その境界となるとともに、第１被覆部４１と第２被覆部４２とを互いに折り曲げ可能にする折り曲げ線４４ａが設けられている。また、第２被覆部４２と第３被覆部４３との間には、その境界となるとともに、第２被覆部４２と第３被覆部４３とを互いに折り曲げ可能にする折り曲げ線４４ｂが設けられている。
【００７８】
第１被覆部４１〜第３被覆部４３は、長方形状に構成されており、その長さが等しくなっている。第１被覆部４１は、その一方の長辺の部分が本体部１５と繋がっている。第１被覆部４１の他方の長辺は、第２被覆部４２の一方の長辺と一致しており、この一致した部分において第１被覆部４１と第２被覆部４２とが繋がっている。第２被覆部４２の他方の長辺は、第３被覆部４３の一方の長辺と一致しており、この一致している部分において、第２被覆部４２と第３被覆部４３とが繋がっている。
【００７９】
第３被覆部４３の他方の長辺には、この長辺に直交する幅方向に突出する突起部４５が形成されている。本実施形態では、第３被覆部４３に、第３被覆部４３を固定するための２つの突起部４５，４５が形成されている。２つの突起部４５，４５を本体部１５に設けられた第１挿通口６１ａ、または第２挿通口６１ｂに差し込むことで、第３被覆部４３を本体部１５に固定することができる。突起部４５の数は、少ない数で第３被覆部４３を安定的に固定できる２が好ましいが、１、または３以上の複数であってもよい。２つの突起部４５，４５は、第３被覆部４３の長手方向に所定の間隔をおいて設けられている。
【００８０】
第３被覆部４３の外面には、図７に示すように、床材２の施工要領の工程を表示する表示部４７が設けられている。床材２の施工を行う作業者は、この表示部４７を見ながら施工作業を容易に行うことができる。この表示部４７は、所定の工程ごとに分かれて表示されるように、所定の工程を記載した、第１表示部４７ａ、第２表示部４７ｂ、及び第３表示部４７ｃを有する。各表示部４７は、第３被覆部４３に直接印刷されてもよいし、各表示部４７を印刷したラベルを第３被覆部４３に貼り付けることによって構成されてもよい。表示部４７の表示内容については、床材２の施工方法とともに後述する。
【００８１】
第２蓋部１６ｂは、筒状に構成される本体部１５の各端部を閉塞すべく、第１蓋部１６ａと一体に構成されている。具体的には、第１蓋部１６ａには、２つの第２蓋部１６ｂが設けられており、第２蓋部１６ｂのそれぞれは、第１蓋部１６ａにおける第２被覆部４２の長手方向の端部に一体に構成されている。換言すれば、第２蓋部１６ｂは、第１蓋部１６ａの長手方向の一端部から突出するように設けられている。
【００８２】
第２蓋部１６ｂは、第２被覆部４２の端部に繋がって構成される基部５１と、基部５１から突出する複数の突起部５５〜５９とを有する。
【００８３】
基部５１は、図２に示すように、四角形状に構成される。この基部５１は、筒状の本体部１５の端部の開口部を閉塞することができるように、この開口部の面積とほぼ同じ面積を有する。また、この基部５１は、その一辺が、第２被覆部４２の短辺と一致しており、この一致した部分において、基部５１と第２被覆部４２とが繋がっている。基部５１と第２被覆部４２との間には、この一致した部分に折り曲げ線５２が設けられており、基部５１は、この折り曲げ線５２を境界線として、第２被覆部４２に対して回動可能に構成されている。
【００８４】
基部５１において、第２被覆部４２と繋がっている一辺（以下、「第１辺」という）５１ａとは反対の一辺（以下、「第２辺」という）５１ｂには、１つの突起部（以下、「第１突起部」という）５５が形成されている。また、第１辺５１ａと第２辺５１ｂとを繋ぐ二辺（以下、それぞれを「第３辺」、「第４辺」という）５１ｃ，５１ｄには、２つの突起部５６，５７、５８，５９が設けられている。以下、第３辺５１ｃに設けられる２つの突起部５６，５７を、それぞれ第２突起部５６、第３突起部５７といい、第４辺５１ｄに設けられる２つの突起部５８，５９を、それぞれ第４突起部５８、第５突起部５９という。第２突起部５６と第３突起部５７とは、所定の間隔をおいて第３辺５１ｃに設けられている。同様に、第４突起部５８と第５突起部５９とは、所定の間隔をおいて第４辺５１ｄに設けられている。
【００８５】
第１突起部５５は、第２蓋部１６ｂの突出方向、すなわち、第１蓋部１６ａにおける第２被覆部４２の長手方向に沿って突出形成されている。また、第２突起部５６〜第５突起部５９は、第１突起部５５の突出する方向とは直交する方向に沿って突出形成されている。第２突起部５６及び第３突起部５７の突出方向と、第４突起部５８及び第５突起部５９の突出方向とは、逆向きになっている。
【００８６】
掛止手段１７は、第１蓋部１６ａを所定の姿勢で掛止する第１掛止手段１７ａと、第２蓋部１６ｂが閉じた状態でこれを掛止する第２掛止手段１７ｂとを有する。
【００８７】
第１掛止手段１７ａは、第１蓋部１６ａを本体部１５に対して閉じた状態となる第１の掛止姿勢で掛止することができるとともに、第１蓋部１６ａを表示部４７が所定の位置で表示される第２の掛止姿勢で掛止することもできるようになっている。
【００８８】
第１掛止手段１７ａは、第１蓋部１６ａに形成される２つの突起部４５，４５と、本体部１５に設けられた突起部４５が挿通可能な挿通口６１と、から構成される。
【００８９】
各突起部４５，４５は、第１蓋部１６ａの第３被覆部４３との境界線が折り曲げ線６３となっている。各突起部４５，４５は、この折り曲げ線６３を介して第１蓋部１６ａに対して折れ曲がり可能に構成されている。第１掛止手段１７ａが、第１蓋部１６ａを掛止する際には、各突起部４５，４５は、第１蓋部１６ａに対して所定の角度で曲げられた状態で、挿通口６１に挿通される。
【００９０】
挿通口６１は、第１の掛止姿勢で掛止する際に、突起部４５が挿通される第１挿通口６１ａと、第１蓋部１６ａの表示部４７を第２の掛止姿勢で掛止する際に、突起部４５が挿通される第２挿通口６１ｂとを有する。
【００９１】
第１挿通口６１ａは、図２、図３に示すように、本体部１５の一方の側壁部２３ａの下部に貫通形成されている。第１蓋部１６ａの２つの突起部４５，４５に対応して、本体部１５には、２つの第１挿通口６１ａ，６１ａが形成されている。第１蓋部１６ａが閉じられる際には、第３被覆部４３が本体部１５の一方に側壁部２３に接触した状態で、各突起部４５，４５が第３被覆部４３から折り曲げられた状態となり、この折り曲げられた各突起部４５，４５が対応する第１挿通口６１ａに挿通される。各突起部４５，４５が第１挿通口６１ａに挿通されると、各突起部４５，４５は、底部２２の内面に接触して、その摩擦力と、第１挿通口６１ａとによって第１の掛止姿勢で掛止される。
【００９２】
なお、第１挿通口６１ａ，６１ａの縁部には、本体部１５の側壁部２３ａの外面から外方に突出する突起部６２ａが設けられている。この突起部６２ａは、第１挿通口６１ａの下側に設けられている。第１の掛止姿勢にすべく、第１蓋部１６ａの突起部４５を第１挿通口６１ａに挿通する際に、この突起部４５の先端は、この突起部６２ａの上面に当接して、第１挿通口６１ａ内に案内される。すなわち、この突起部６２ａは、第１蓋部１６ａの突起部４５を第１挿通口６１ａに容易に挿通させることができるように、この突起部４５を第１挿通口６１ａに案内する案内部として機能する。
【００９３】
第２挿通口６１ｂは、図２、図３に示すように、本体部１５の上面部２１に貫通形成されている。第１蓋部１６ａの２つの突起部４５，４５に対応して、本体部１５には、２つの第２挿通口６１ｂ，６１ｂが形成されている。
【００９４】
また、第２挿通口６１ｂ，６１ｂの縁部には、本体部１５の上面部２１から上方に突出する突起部６２ｂが設けられている。この突起部６２ｂは、第２挿通口６１ｂよりも本体部の側壁部２３ｂ側に設けられている。第２の掛止姿勢にすべく、第１蓋部１６ａの突起部４５を第２挿通口６１ｂに挿通する際に、この突起部４５の先端は、この突起部６２ｂの側面に当接して、第２挿通口６１ｂ内に案内される。すなわち、この突起部６２ｂは、第１蓋部１６ａの突起部４５を第２挿通口６１ｂに容易に挿通させることができるように、この突起部４５を第２挿通口６１ｂに案内する案内部として機能する。
【００９５】
図７は、第１蓋部１６ａが第２の掛止姿勢で掛止された状態を側壁部２３ａ側から見た第１収納箱１１の斜視図である。第１蓋部１６ａの表示部４７を所定の位置で表示させるべく、第１蓋部１６ａを所定の姿勢にしたときに、第１蓋部１６ａにおける第３被覆部４３に対して、各突起部４５，４５が所定の角度で折り曲げられた状態となり、この折り曲げられた各突起部４５，４５が各第２挿通口６１ｂ，６１ｂに挿通される。
【００９６】
第２掛止手段１７ｂは、第２蓋部１６ｂに形成される第１突起部５５〜第５突起部５９によって構成される。各突起部５５〜５９は、図２に示すように、第２蓋部１６ｂの基部５１との境界線が折り曲げ線６５となっており、この折り曲げ線６５を介して、基部５１に対して折れ曲がり可能に構成される。
【００９７】
第２蓋部１６ｂによって本体部１５の長手方向の端部の開口部を閉塞する際には、第１蓋部１６ａによって本体部１５を覆った後に、本体部１５の長手方向の開口部を覆うように、第２蓋部１６ｂの基部５１が第１蓋部１６ａの第２被覆部４２に対して所定の角度で折り曲げられる。
【００９８】
このとき、各突起部は、第２蓋部１６ｂに対して所定の角度を折り曲げられるとともに、本体部１５の内側に挿入される。第１突起部５５は、本体部１５内に挿入されたとき、本体部１５の一方の側壁部２３ａの内面に接触する。
【００９９】
第２突起部５６と第３突起部５７は、本体部１５内に挿入されたとき、本体部１５の上面部２１の内面に接触する。このとき、右側の第２突起部５６と第３突起部５７との間には、本体部１５内の中間板部２４の長手方向の端部が入った状態となる。換言すれば、本体部１５の内側に挿入されたときに、右側の第２突起部５６と第３突起部５７は、その間に中間板部２４の端部を挟んだ状態となる。
【０１００】
第４突起部５８と第５突起部５９は、本体部１５に挿入されたとき、本体部１５の底部２２の内面に接触する。このとき、右側の第４突起部５８と第５突起部５９との間には、本体部１５内の中間板部２４の長手方向の端部が入った状態となる。換言すれば、本体部１５の内側に挿入されたときに、右側の第４突起部５８と第５突起部５９は、その間に中間板部２４の端部を挟んだ状態となる。
【０１０１】
上記のように、各突起部が本体部１５の内側に挿入されたとき、第１突起部５５と本体部１５の側壁部２３の内面との接触、第２突起部５６及び第３突起部５７と本体部１５の上面部２１の内面との接触、及びこれらと中間板部２４との接触、第４突起部５８及び第５突起部５９と本体部１５の底部２２の内面との接触、及びこれらと中間板部２４との接触等によって生じる摩擦力によって、第２蓋部１６ｂは本体部１５の長手方向の端部を閉塞した状態で掛止される。
【０１０２】
上記のような第１収納箱１１は、図８に示すような所定形状の１枚の台紙を所定位置で折り曲げることによって構成される。
【０１０３】
台紙は、本体部１５を構成するための部分と、蓋部１６を構成するための部分とを有する。以下、説明の便宜上、台紙において、本体部１５とその構成要素に対応している部分には、上述した本体部１５の各要素と同じ符号を付して説明する。例えば、台紙において上面部２１に対応する部分には、同じ符号を付し、上面部２１として説明する。同様に、台紙において、蓋部１６とその構成要素に対応する部分には、上述した蓋部１６の各要素と同じ符号を付して説明する。例えば、台紙において第１被覆部４１に対応する部分には、同じ符号４１を付し、第１被覆部４１として説明する。
【０１０４】
台紙において、本体部１５を構成する上面部２１、底部２２、側壁部２３、中間板部２４は、長方形状に構成されている。上面部２１、底部２２、及び側壁部２３は、その長手方向の長さが略等しくなっている。中間板部２４の長手方向の長さは、上面部２１等よりも短くなっている。図８に示すように、中間板部２４の長手方向の一端部は、上面部２１、底部２２、及び側壁部２３の長手方向の一端部の位置に一致するように設けられている。中間板部２４の長手方向の他端部は、上面部２１、底部２２、及び側壁部２３の他端部に達していない。
【０１０５】
具体的には、中間板部２４の他端部は、上面部２１に形成されている第１固定部２６に対応する位置まで達していない。このことから、中間板部２４は、第２固定部２７〜第４固定部２９の各開口部２７ａ〜２９ａの下方位置には重なって位置するが、第１固定部２６の下方位置には存在していない。
【０１０６】
上面部２１は、一方の側壁部２３ａを介して底部２２と連結されている。また、上面部２１は、他方の側壁部２３ｂを介して中間板部２４と連結されている。一方の側壁部２３ａと底部２２との間には、第１挿通口６１ａを形成するために２つの切れ込み７１，７１が入れられている。それぞれの切れ込み７１，７１は、底部２２と一方の側壁部２３ａとの間の境界線（折り曲げ線７２）に略一致して形成されている。また、上面部２１と他方の側壁部２３ｂとの間には、第２挿通口６１ｂを形成するために２つの切れ込み７３，７３が入れられている。それぞれの切れ込み７３，７３は、上面部２１と他方の側壁部２３ｂとの間の境界線（折り曲げ線７４）に略一致して形成されている。
【０１０７】
底部２２は、その一方の長辺に対応して位置する折り曲げ線７５を介して第１蓋部１６ａの第１被覆部４１に連結されている。底部２２の長手方向の長さは、この第１被覆部４１と等しくなっている。
【０１０８】
また、底部２２には、所定位置に切れ込み７６が入れられることにより、第２固定部２７、第４固定部２９における支持部２９ｃを構成するための突出部７８が形成されている。各突出部７８は、折り曲げ線７７を介して底部２２に対して所定の角度を折り曲げ可能に構成される。
【０１０９】
中間板部２４は、側壁部２３ｂに連結されている。この中間板部２４と側壁部２３ｂとの間には、折り曲げ線７９が形成されており、中間板部２４は、この折り曲げ線７９を介して側壁部２３ｂに対して折り曲げ可能に構成されている。なお、折り曲げ線７９の中途部分には、中間板部２４を折り曲げ易くするために、切れ込み８０が形成されている。
【０１１０】
また、中間板部２４には、突出部７８が挿通される挿通孔３８，３８が形成されている。各挿通孔３８，３８は、中間板部２４の長手方向に沿う長孔として形成される。
【０１１１】
また、中間板部２４には、所定位置に切れ込み８１が入れられることで、底部２２と中間板部２４との間に配置されるスペーサ３９が形成されている。このスペーサ３９は、折り曲げ線８２を介して、中間板部２４に対して折り曲げ可能に構成される。図４〜図６に示すように、本体部１５内において、このスペーサ３９は、その一方の面が、中間板部２４に接触するように折り曲げられるととともに、その他方の面が底部２２の内面に接触するように配置される。
【０１１２】
以下、台紙による第１収納箱１１の組み立て方法、特に本体部１５の組み立て方法について説明する。
【０１１３】
本体部１５を組み立てるには、まず、中間板部２４を、隣接する一方の側壁部２３ａに対して略直角となるように折り曲げる。そして、この側壁部２３を本体部１５に対して略直角となるように折り曲げる。そうすると、上面部２１と中間板部２４とが重なった状態になる。
【０１１４】
次に、本体部１５を他方の側壁部２３ｂに対して略直角となるように折り曲げる。そして、他方の側壁部２３ｂを底部２２に対して略直角となるように折り曲げる。そうすると、中間板部２４は、上面部２１と、底部２２のとの間に位置する状態になる。このとき、底部２２に形成される各突出部７８を中間板部２４に形成される各挿通孔３８，３８に挿通する。さらに、スペーサ３９を折り曲げて、中間板部２４と底部２２との間に介在させる。
【０１１５】
このように、底部２２の突出部７８を中間板部２４の挿通孔３８，３８に挿通し、中間板部２４と底部２２との間にスペーサ３９を介在させることで、中間板部２４は、上面部２１と底部２２との相対的な位置が変化しないように位置決めされる。
【０１１６】
以上により、その内部に中間板部２４を有した状態で本体部１５が構成される。
【０１１７】
以下、本体部１５に対して蓋部１６を閉じる動作について説明する。
【０１１８】
本体部１５に対して蓋部１６を閉じるには、まず、第１蓋部１６ａの第１被覆部４１を底部２２に対して略直角となるように折り曲げる。このとき、第１被覆部４１は、本体部１５の側壁部２３を覆った状態になる。次に、第１蓋部１６ａの第２被覆部４２を第１被覆部４１に対して略直角となるように折り曲げる。これによって、第２被覆部４２は、本体部１５の上面部２１の上方位置でこれを覆った状態になる。この状態から、第３被覆部４３を第２被覆部４２に対して略直角となるように折り曲げる。これによって、第３被覆部４３が本体部１５の側壁部２３を覆った状態となる。
【０１１９】
このとき、第３被覆部４３に設けられている２つの突起部４５，４５を、この第３被覆部４３に対して略直角となるように折り曲げるとともに、第１挿通孔に挿通する。これにより、２つの突起部４５，４５は、本体部１５内で、底部２２の内面に接触した状態となる。以上により、第１蓋部１６ａは、第１掛止手段１７ａによって掛止された第１の掛止姿勢となる。
【０１２０】
第１蓋部１６ａが第１掛止手段１７ａによって掛止された状態では、第２被覆部４２に一体に設けられている第２蓋部１６ｂは、本体部１５の上面部２１の上方に位置づけられる。この状態から、第２蓋部１６ｂの基部５１を第２被覆部４２に対して略直角となるように折り曲げる。さらに、第２蓋部１６ｂの第１突起部５５〜第５突起部５９を基部５１に対して略直角となるように折り曲げるとともに、本体部１５の長手方向の端部の開口部から内側に入れる。以上により、第２蓋部１６ｂは、本体部１５の長手方向の端部を閉塞した状態で、第２掛止手段１７ｂによって掛止される。
【０１２１】
第２収納箱１２は、その上部に設けられる４つの蓋部８６（８６ａ，８６ｂ）と、各蓋部８６に対応する４つの側壁部８７と、底部８８（８８ａ，８８ｂ）とを有する。この第２収納箱１２は、図９に示す台紙によって構成される。
【０１２２】
４つの蓋部８６は、それぞれ長方形状に構成される。この蓋部８６は、対応する側壁部８７との境界線を折り曲げ線９１として、側壁部８７に対して折れ曲がり可能に構成されている。
【０１２３】
側壁部８７は、対応する蓋部８６を同じ大きさの長方形状に構成される。４つの側壁部８７は、それぞれの境界線が折り曲げ線９２とされており、この折り曲げ線９２を介して互いに折れ曲がり可能に構成されている。４つの側壁部８７のうちの１つには、他の側壁部８７と連結するための連結部９３が設けられている。４つの側壁部８７は、この連結部９３を介して、環状（四角形状の環状）に構成される。
【０１２４】
図９に示すように、底部８８は、台紙の状態において２つの小さな構成片８８ａと２つの大きな構成片８８ｂを有する。各構成片８８ａ、８８ｂは、各蓋部８６、各側壁部８７に対応して設けられている。各構成片８８ａ、８８ｂの形状及び大きさは、対応する各蓋部８６の形状及び大きさと同じになっている。各構成片８８ａ、８８ｂは、対応する側壁部８７との境界線を折り曲げ線９４として、各側壁部８７に対して折り曲げ可能に構成される。
【０１２５】
この底部８８は、以下のようにして構成される。まず、側壁部８７を環状に構成した後に、各構成片８８ａ、８８ｂを各側壁部８７に対して略直角に折り曲げる。このとき、小さな構成片８８ａを内側にし、大きな構成片８８ｂをその外側から重ねた状態にする。この状態において、２つの大きな構成片８８ｂは、その端部同士が対向した状態となる。この状態から、大きな構成片８８ｂの端部同士を接着テープ等により接着する。以上により、底部８８は、側壁部８７の下部側を閉塞した状態に構成される。
【０１２６】
上記の状態において、床材２及び施工材料を収納した第１収納箱１１が第２収納箱１２内に入れられる。
【０１２７】
その後、蓋部８６が閉られる。蓋部８６による閉塞は以下のようにして行われる。図９に示すように、蓋部８６は、台紙の状態において２つの小さな構成片８６ａと２つの大きな構成片８６ｂを有する。蓋部８６を閉じるには、まず、各蓋部８６を各側壁部８７に対して略直角に折り曲げる。このとき、小さな２つの蓋部８６ａを内側にし、大きな２つの蓋部８６ｂをその外側から重ねた状態にする。この状態において、２つの大きな蓋部８６ｂは、その端部同士が対向した状態となる。この状態から、大きな蓋部８６ｂの端部同士を接着テープ等により接着する。以上により、第２収納箱１２の上部が蓋部８６により閉塞され、これによって施工キット１が完成される。
【０１２８】
以下、床材施工キット１を使用して、浴室の床面に床材２を施工する方法について説明する。この施工方法は、第１蓋部１６ａに設けられる第１表示部４７ａ〜第３表示部４７ｃによって表示されている。
【０１２９】
以下、図１０〜図１２を参照し、各表示部４７を表示内容とともに、床材２の施工方法の概略を説明する。
【０１３０】
図１０は、第１表示部４７ａを示す。第１表示部４７ａには、下地の状態の確認、床面の補修、及びシート状の床材２の裁断に係る各工程についての案内図と案内文とが表示されている。
【０１３１】
床材２の施工にあたり、まず、床面の経年劣化の状態を確認し、その状態に応じた補修が行われる。補修工程は、例えば、補修剤３が好適に床面に付着するように、事前にサンドペーパーによって床面が研磨される。
【０１３２】
補修工程では、補修剤３の第１液と第２液が混合されたのち、この補修剤３が床面の凹部等に盛られる。この補修工程によって、床面が平坦状に補修されることとなる。補修剤３の第１液と第２液との混合は、収納袋３５に収納されている混ぜ棒３３によって行われる。
【０１３３】
補修工程の後、又はその前に、床材２は、床面に応じて所定の大きさ及び形状に裁断される。
【０１３４】
第１表示部４７ａでは、補修の工程が含まれるため、この第１表示部４７ａと、補修剤３との関係を作業者が連想できるように、第１表示部４７ａは、補修剤３と同じ識別情報、例えば同じ色情報として、赤色に着色されていてもよい。
【０１３５】
また、第１表示部４７ａは、図７に示すように、本体部１５の第２固定部２７に保持される補修剤３の保持位置に対応するように、その後方位置に設けられている。このように、補修剤３の保持位置に対応して、補修の工程を含む第１表示部４７ａを配置することで、施工を行う作業者は、補修剤３と第１表示部４７ａに表示される補修の工程とを関連づけて理解することができ、これによって、効率の良い作業を行うことができる。
【０１３６】
図１１は、第２表示部４７ｂを示す。第２表示部４７ｂには、床材２のさらなる具体的な裁断の仕方、及び、接着剤４の床面への塗布工程が、対応する案内図及び案内文によって表示されている。
【０１３７】
例えば、床面に配設される排水口等に対応するように床材２を裁断するための手法として、型紙法が採用され得る。型紙法は、例えば、型紙を排水口に貼り付けるとともに、この型紙に排水口の形状を筆記具によって写し取り、これを床材２に転写し、それに応じて床材２の該当部分を裁断する方法である。
【０１３８】
上記のような作業と併行して、または、その作業後に、接着剤４の第１液と第２液とを混ぜ棒３３によって混合し、この接着剤４が収納袋３５に収納されているハケ３２等を使用して床面に塗布される。接着剤４が塗布される前に、補修剤３が盛られた部分をサンドペーパー等により研磨するようにしてもよい。
【０１３９】
第２表示部４７ｂでは、接着剤４の塗布の工程が含まれるため、この第２表示部４７ｂと、接着剤４との関係を作業者が連想できるように、第２表示部４７ｂは、接着剤４と同じ識別情報、例えば同じ色情報として、緑色に着色されていてもよい。
【０１４０】
また、第２表示部４７ｂは、図７に示すように、本体部１５の第３固定部２８に保持される接着剤４の保持位置に対応するように、その後方位置に設けられている。このように、接着剤４の保持位置に対応して、接着剤４の塗布工程を含む第２表示部４７ｂを配置することで、施工を行う作業者は、接着剤４と第２表示部４７ｂに表示される接着剤４の塗布工程とを関連づけて理解することができ、これによって、効率の良い作業を行うことができる。
【０１４１】
図１２は、第３表示部４７ｃを示す。第３表示部４７ｃには、接着剤４が塗布された床面に所定形状に裁断された床材２を貼り付ける工程、貼り付け後に床材２の縁部と床面との間にシール剤５を塗布するシール処理の工程、及びその後の養生の工程が案内図及び案内文によって表示されている。
【０１４２】
接着剤４が床面に塗布され、所定時間が経過した後に、裁断された床材２が床面に載せられる。この際、床材２の表面に皺等が生じないように、ハンドーローラによって、床材２表面が押圧される。
【０１４３】
このように床面に床材２が貼られた後、シール剤５によるシールの状態を見栄え良くし、かつ、余計な場所にシール剤５が付着しないように、マスキングテープがシール処理近傍位置に貼られる。
【０１４４】
シール剤５の第１液と第２液とが混ぜ棒３３によって混合された後、このシール剤５がコーキングガン用のケーシング３４（コーキングガン用容器）に入れられる。そして、このケーシングがコーキングガンに装着され、床材２の縁部と床面との間にシール剤５が注入（充填）される。シール剤５が注入されると、仕上げヘラ等により、シール剤５が見栄え良く処理される。その後、マスキングテープが除去される。
【０１４５】
上記のようなシール処理が終わると、養生として、床材２は、接着剤４、シール剤５が硬化するまで、そのままの状態で放置される。
【０１４６】
以上によって、浴室の床面への床材２の施工が完了する。
【０１４７】
第３表示部４７ｃでは、シール剤５によるシール処理の工程が含まれるため、この第３表示部４７ｃと、接着剤４との関係を作業者が連想できるように、第３表示部４７ｃは、シール剤５と同じ識別情報、例えば同じ色情報として、青色に着色されていてもよい。
【０１４８】
また、第３表示部４７ｃは、図７に示すように、本体部１５の第４固定部２９に保持されるシール剤５の保持位置に対応するように、その後方位置に設けられている。このように、シール剤５の保持位置に対応して、シール剤５のシール処理の工程を含む第３表示部４７ｃを配置することで、施工を行う作業者は、シール剤５と第３表示部４７ｃに表示されるシール処理の工程とを関連づけて理解することができ、これによって、効率の良い作業を行うことができる。
【０１４９】
上述した本発明に係る床材施工用キット１によれば、浴室の床面に貼り付けられるシート状の床材２と、浴室の床面を補修する補修剤３と、シート状の床材２を浴室の床面に接着する接着剤４と、浴室の床面と床材２との間をシールするシール剤５とが収納される収納箱を備えることで、床材用施工キット１は、シート状の床材２と、補修剤３と、接着剤４と、シール剤５とを第２収納箱１２に収納することによって、床材２の施工に必要な材料のほぼ全てを集約することができ、これらを別々に集める必要がなくなる。
【０１５０】
また、本発明に係る床材施工用キット１によれば、多種類の材料や道具を作業に則した状態で集約して搬入することができるので、浴室に充分な作業スペースが確保できない場合でも、効率よく作業を進めることができる。これによって、施工作業の準備に時間をかける必要がなくなる上、施工作業を効率良く行うことができるようになる。
【０１５１】
なお、第１収納箱１１は、第２収納箱１２と併用されることなく、本願発明の課題を解決することができる。すなわち、第１収納箱１１は、補修剤３と、接着剤４と、シール剤５を集約して収納することにより、これらを別々に準備する必要がなくなり、準備にかかる時間を短縮することができる。
【０１５２】
また、第１収納箱１１が、補修剤３と、接着剤４と、シール剤５を第２固定部２７〜第４固定部２９によって本体部１５に固定して保持することにより、第２収納箱１２に収納される補修剤３等の位置が変わることなく、これらとシート部材が接触して損傷するということも防止できる。また、第１収納箱１１が蓋部１６を有する箱形状に構成されることから、第１収納箱１１に収納される物品を確実に保護することができる。
【０１５３】
第１収納箱１１が、第２収納箱１２に収納される態様で施工キット１が構成される場合には、第１収納箱１１の蓋部１６を省略することができる。すなわち、補修剤３と、接着剤４と、シール剤５は、蓋部１６がなくても、本体部１５に固定された状態で保持される。
【０１５４】
本実施形態では、蓋部１６を有する第１収納箱１１と、蓋部１６を有していない第１収納箱１１とを総称して、「保持体」という。
【０１５５】
また、前記第２固定部２７〜第４固定部２９の支持部２７ｃ〜２９ｃが、その支持位置を変更可能に構成されていることから、支持部２７ｃ〜２９ｃの位置を変更可能にすることで、例えば補修剤３等を収容する容器７ａ，７ｂの大きさ（高さ）が異なる場合であっても、これらの容器７ａ，７ｂを適切に固定することができるようになる。また、本実施形態のように、複数の固定部２７〜２９を並設した場合には、各固定部に固定されて隣り合う容器７ａ〜９ｂの高さを揃えて固定することもでき、保持体は、見た目にも綺麗にこれらの材料を保持することができるようになる。
【０１５６】
また、第１収納箱１１は、床材２を浴室の床面に施工するための道具をも収納していることから、床材２の施工に必要とされる物品をより多く集約することで、施工の準備にかかる時間をさらに短縮することができるようになる。
【０１５７】
また、第１収納箱１１の蓋部１６の表示部４７に、床材２の施工要領が記載された施工説明書が表示されるので、施工の作業手順を作業者に明確に伝達して効率の良い作業を行うことができるようになる。この表示部４７は、第２収納箱１２の蓋部１６にも設けられていてもよい。また、第１収納箱１１、第２収納箱１２に、施工要領が記載された施工説明書が別途収納されていてもよい。本実施形態では、第１収納箱１１又は第２収納箱１２の蓋部１６に施工説明書が固定されて表示されること、又は第１収納箱１１、又は第２収納箱１２に施工説明書が収納されていることを総称して、施工説明書が、第１収納箱１１又は第２収納箱１２に「付属されている」という。
【０１５８】
また、表示部４７は、補修剤３、接着剤４、及びシール剤５が使用される施工要領の各工程を、保持体に保持されている補修剤３、接着剤４、及びシール剤５の保持位置に対応して表示することから、施工を行う作業者にとって、シール剤５と第３表示部４７ｃに表示されるシール処理の工程とを関連づけて理解することができ、これによって、効率の良い作業を行うことができる。
【０１５９】
また、第１収納箱１１の表示部４７は、作業者が表示部４７を見やすい位置に配置されるように、掛止手段１７によって蓋部１６を掛止することから、作業者は、表示部４７を見ながら本体部１５に保持される補修剤３等を使用して容易に施工作業を行うことができる。
【０１６０】
また、第１収納箱１１の蓋部１６は、掛止手段１７によって蓋部１６が閉じた状態を維持できるようになるっていることから、蓋部１６が不測に開くことが防止される。
【０１６１】
また、第１収納箱１１を掛止する掛止手段１７は、台紙の一部によって構成されることから、接着テープのような手段を用いることなく、蓋部１６を閉じた状態にできる。これによって、第１収納箱１１の組み立て・梱包作業を効率的の行うともに、第１収納箱１１の製造コストを可及的に低減できるようになる。
【０１６２】
また、補修剤３と、接着剤４と、シール剤５とに、これらを識別される識別情報が付されていることから、施工作業の際に、作業者は、補修剤３等の容器７ａ〜９ｂ内を確認することなく、各作業工程において、間違うことなくこれらの材料を選択できるようになる。識別情報として、補修剤３と、接着剤４と、シール剤５とに個別に付された色情報を採用することにより、作業者は、補修剤３と、接着剤４と、シール剤５との別を色の違いによって直感的に判断できるようになる。
【０１６３】
また、第１収納箱１１の底部２２と第２固定部２７〜第４固定部２９の支持部２７ｃ〜２９ｃとの間にスペーサ３９が設けられていることから、第１収納箱１１の各支持部２７ｃ〜２９ｃを所望の位置に配置できるようになる。
【０１６４】
また、本体部１５、及び蓋部１６が１枚の台紙に形成されていることから、本体部１５、蓋部１６を別体とすることなく、これらを連結・接続する手間を省略して保持体を容易に構成することができる。
【０１６５】
なお、本発明は上記の実施形態に限定されず、種々の変更・変形が可能である。
【０１６６】
例えば、上記の実施形態では、第２固定部２７〜第４固定部２９の開口部２７ａ〜２９ａの周縁を八角形状に構成した例を示したが、これに限らず、第１固定部２６の開口部と同様な四角形状に構成してもよい。このような場合には、補修剤３、接着剤４、及びシール剤５が、金属製の円筒状容器７ａ〜９ｂではなく、袋状の容器に収容されている場合においても、これらを確実に固定して保持できるようになる。そのような容器の例が、特開２００１−８０６８１号公報に開示されている。
【０１６７】
上記の実施形態において、第１掛止手段１７ａは、第１蓋部１６ａを閉じた状態で掛止するとともに、表示部４７が作業者にとって見やすい位置に配置されるように、第１蓋部１６ａを所定の姿勢で掛止可能に構成されていたが、これに限定されない。第１掛止手段１７ａは、第１蓋部１６ａが閉じた状態を掛止するだけのものであってもよい。
【０１６８】
上記の実施形態では、第１収納箱１１に補修剤３等を収納し、この第１収納箱１１と床材２とを第２収納箱１２に収納する例を示したが、これに限定されず、例えば、第１収納箱１１に床材２を収納する収納部を設け、第１収納箱１１のみで床材施工用キット１を構成するようにしてもよい。これによって、床材２の施工に必要なほぼ全ての物品を集約し、施工作業の効率をさらに向上することができる。
【０１６９】
その例としては、第１収納箱１１の本体部１５をより大型に構成し、その内部空間（上面部２１と中間板部２４との間の空間、または中間板部２４と底部２２との間の空間）を床材２の収納部としてもよい。また、第１固定部２６と同様な構成の固定部を本体部１５の長手方向に沿って長く構成し、この固定部によって筒状に巻き取られた床材２を固定するようにしてもよい。
【０１７０】
また、第１蓋部の第１被覆部と、第２被覆部との間に、筒状に巻き取られた床材２を被覆する被覆部をさらに設け、本体部１５の側壁部２３ｂに床材２を当接させた状態で、第１被覆部４１によって床材２の下側の部分を被覆し、新たに追加された被覆部で床材２の側部を被覆し、第２被覆部４２によって、床材２の上側と本体部１５の上面部２１とを被覆するようにして、第１収納箱１１に床材を収納するようにしてもよい。
【符号の説明】
【０１７１】
１…床材施工キット、２…床材、３…補修剤、４…接着剤、５…シール剤、７ａ，７ｂ…補修剤用の容器、８ａ，８ｂ…接着剤用の容器、９ａ，９ｂ…シール剤用の容器、１１…第１収納箱、１２…第２収納箱、１５…本体部、１６（１６ａ，１６ｂ）…蓋部（第１蓋部，第２蓋部）、１７（１７ａ，１７ｂ）…掛止手段（第１掛止手段，第２掛止手段）、２１…上面部、２２…底部、２３（２３ａ，２３ｂ）…側壁部、２４…中間板部、２６…第１固定部、２７…第２固定部、２８…第３固定部、２９…第４固定部、３２…ハケ、３３…混ぜ棒、３４…ケーシング、３５…収納袋、３８…挿通孔、３９…スペーサ、４１…第１被覆部、４２…第２被覆部、４３…第３被覆部、４５…突起部、４７（４７ａ〜４７ｃ）…表示部（第１表示部〜第３表示部）、５１…基部、５５〜５９…第１突起部〜第５突起部、６１（６１ａ，６１ｂ）…挿通口（第１挿通口，第２挿通口）、６２ａ，６２ｂ…突起部、７８…突出部、８６（８６ａ，８６ｂ）…蓋部、８７…側壁部、８８…底部、８８ａ，８８ｂ…構成片、９３…連結部
【図１】
2012072586.tif 000003
【図２】
2012072586.tif 000004
【図３】
2012072586.tif 000005
【図４】
2012072586.tif 000006
【図５】
2012072586.tif 000007
【図６】
2012072586.tif 000008
【図７】
2012072586.tif 000009
【図８】
2012072586.tif 000010
【図９】
2012072586.tif 000011
【図１０】
2012072586.tif 000012
【図１１】
2012072586.tif 000013
【図１２】
2012072586.tif 000014